【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】 
【請求項１】  観察者の視線上に相前後して配置されており且つ複数の表示対象物に係る複数の画像を前記視線上において重ねて表示するための複数の表示手段と、
（ｉ）前記複数の表示手段間に設定される前記複数の表示対象物の夫々の奥行位置及び（ｉｉ）前記複数の表示対象物の夫々のコンテンツ内容の両者に応じて、前記複数の画像の夫々の出力輝度レベルを指定する出力レベル指定手段と、
前記複数の表示対象物を表示するための入力画像信号を、前記指定された前記出力輝度レベルを有する出力画像信号として、前記複数の表示手段の夫々に分配する出力レベル分配手段とを備えたことを特徴とする表示装置。
【請求項２】  前記出力レベル指定手段は、前記複数の表示対象物のうち立体感を強調する表示対象物に係る出力画像信号に対して、前記出力輝度レベルとして利用可能な輝度範囲を大きく割り当てるように前記出力輝度レベルを指定することを特徴とする請求項１に記載の表示装置。
【請求項３】  前記出力レベル指定手段は、前記複数の表示対象物のうち立体感を弱くする表示対象物に係る出力画像信号に対して、前記出力輝度レベルとして利用可能な輝度範囲を小さく割り当てるように前記出力輝度レベルを指定することを特徴とする請求項１又は２に記載の表示装置。
【請求項４】  前記複数の表示対象物のうち少なくとも一つのコンテンツ内容を示す表示内容パラメータを取得するパラメータ取得手段を更に備えており、
前記出力レベル指定手段は、前記取得した表示内容パラメータに基づいて、前記出力輝度レベルを指定することを特徴とする請求項１から３のいずれか一項に記載の表示装置。
【請求項５】  観察者の視線上に相前後して配置されており且つ複数の表示対象物の夫々に係る複数の画像を前記視線上において重ねて表示するための複数の表示手段と、
前記複数の表示対象物が配置されている空間上における仮想観察者が、前記複数の表示対象物を観察する際の観察条件を示す条件パラメータを取得するパラメータ取得手段と、
（ｉ）前記複数の表示手段間に設定される前記複数の表示対象物の夫々の奥行位置及び（ｉｉ）前記取得された条件パラメータの両者に応じて、前記複数の画像の夫々の出力輝度レベルを指定する出力レベル指定手段と、
前記表示対象物を表示するための入力画像信号を、前記指定された前記出力輝度レベルを有する出力画像信号として、前記複数の表示手段の夫々に分配する出力レベル分配手段とを備えたことを特徴とする表示装置。
【請求項６】  前記条件パラメータは、前記仮想観察者の観察位置に関する情報、前記仮想観察者と前記複数の表示対象物のうち少なくとも一つとの距離に関する情報、及び前記仮想観察者の視野に関する情報のうち少なくとも一つの情報を含んでなることを特徴とする請求項５に記載の表示装置。
【請求項７】  前記出力レベル指定手段は、前記複数の表示対象物のうち立体感を強調する表示対象物に係る出力画像信号に対して、前記出力輝度レベルとして利用可能な輝度範囲を大きく割り当てるように前記出力輝度レベルを指定し、前記複数の表示対象物のうち立体感を弱くする表示対象物に係る出力画像信号に対して、前記出力輝度レベルとして利用可能な輝度範囲を小さく割り当てるように前記出力輝度レベルを指定することを特徴とする請求項５又は６に記載の表示装置。
【請求項８】  前記出力レベル指定手段は、前記奥行位置に対して前記出力輝度レベルがノンリニアに変化するように、前記出力輝度レベルを指定することを特徴とする請求項１から７のいずれか一項に記載の表示装置。
【請求項９】  前記出力レベル指定手段は、前記複数の表示対象物が存在する前記視線に沿った奥行方向の幅である奥行幅のうち、前記複数の表示対象物のうち一つが存在する幅部分内では、該一つの表示対象物についての前記複数の画像に係る出力輝度レベルが前記奥行位置に対してリニアに変化するように、前記出力輝度レベルを指定することを特徴とする請求項１から８のいずれか一項に記載の表示装置。
【請求項１０】  前記出力レベル指定手段は、前記複数の表示対象物が存在する前記視線に沿った奥行方向の幅である奥行幅のうち一の幅部分内では、該一の幅部分内に存在する前記複数の表示対象物のうち少なくとも一つの表示対象物についての前記複数の画像に係る出力輝度レベルが前記奥行位置に対してリニアに変化するように、且つ、前記奥行幅のうち他の幅部分内では、該他の幅部分内に存在する前記複数の表示対象物のうち少なくとも他の一つの表示対象物についての前記複数の画像に係る出力輝度レベルが前記奥行位置に対してノンリニアに変化するように、前記出力輝度レベルを指定することを特徴とする請求項１から９のいずれか一項に記載の表示装置。
【請求項１１】  前記出力レベル指定手段は、前記複数の表示対象物のうち前記観察者から見て手前側に表示されるべきものについては、前記奥行位置の増加に応じて前記出力輝度レベルが単調減少するように、且つ、前記複数の表示対象物のうち前記観察者から見て遠方側に表示されるべきものについては、前記奥行位置の増加に応じて前記出力輝度レベルが単調増加するように、前記出力輝度レベルを指定することを特徴とする請求項１から１０のいずれか一項に記載の表示装置。
【請求項１２】  前記入力画像信号は、前記複数の表示対象物のうち少なくとも一つの表示対象物に係る前記奥行位置を示す奥行情報が付加されていることを特徴とする請求項１から１１のいずれか一項に記載の表示装置。
【請求項１３】  前記複数の表示手段は夫々、画素毎に表示可能であり、
前記出力レベル指定手段は、前記画素毎に前記出力輝度レベルを指定し、
前記出力レベル分配手段は、前記画素毎に前記出力画像信号を分配することを特徴とする請求項１から１２のいずれか一項に記載の表示装置。
【請求項１４】  複数の表示対象物から構成される立体表示画像の奥行方向の幅である奥行幅を、夫々所望の幅を有する複数の幅部分に分割する分割手段と、
前記複数の幅部分のうち一つ内に存在する前記複数の表示対象物のうち少なくとも一つの表示対象物のコンテンツ内容と、該少なくとも一つの表示対象物の奥行位置との両者に応じて、前記少なくとも一つの表示対象物に対して発生させる前記奥行方向の立体感の強弱の度合を示す立体感パラメータを、前記幅部分毎に付与するパラメータ付与手段と、
前記立体感パラメータに応じた強弱の度合に係る立体感を有するように、前記少なくとも一つの表示対象物を立体表示する表示手段とを備えたことを特徴とする表示装置。
【請求項１５】  前記表示手段は、前記奥行方向に沿って観察者の視線上に相前後して配置されており且つ前記複数の表示対象物の夫々に係る複数の画像を前記視線上において重ねて表示することで前記立体表示画像の全体を表示し、
前記パラメータ付与手段は、（ｉ）前記奥行位置及び前記コンテンツ内容に応じて定まる前記複数の画像の夫々の出力輝度レベルを指定すること及び（ｉｉ）前記少なくとも一つの表示対象物について前記指定された出力輝度レベルを有する出力画像信号を前記複数の表示手段の夫々へ分配することで、前記少なくとも一つの表示対象物に対して前記パラメータを付与することを特徴とする請求項１４に記載の表示装置。
【請求項１６】  前記複数の表示手段のうち、少なくとも前記観察者から見て最も後方に配置された表示手段を除く表示手段は、光透過性を有する表示デバイスからなることを特徴とする請求項１から１３及び１５のいずれか一項に記載の表示装置。
【請求項１７】  観察者の視線上に相前後して配置されており且つ複数の表示対象物に係る複数の画像を前記視線上において重ねて表示するための複数の表示手段を備えた表示装置における表示方法であって、
（ｉ）前記複数の表示手段間に設定される前記複数の表示対象物の夫々の奥行位置及び（ｉｉ）前記複数の表示対象物の夫々のコンテンツ内容の両者に応じて、前記複数の画像の夫々の出力輝度レベルを指定する出力レベル指定工程と、
前記複数の表示対象物を表示するための入力画像信号を、前記出力レベル指定手段が指定する前記出力輝度レベルを有する出力画像信号として、前記複数の表示手段の夫々に分配する出力レベル分配工程とを備えたことを特徴とする表示方法。
【請求項１８】  観察者の視線上に相前後して配置されており且つ複数の表示対象物の夫々に係る複数の画像を前記視線上において重ねて表示するための複数の表示手段を備えた表示装置における表示方法であって、
前記複数の表示対象物が配置されている空間上における仮想観察者が、前記複数の表示対象物を観察する際の観察条件を示す条件パラメータを取得するパラメータ取得工程と、
（ｉ）前記複数の表示手段間に設定される前記複数の表示対象物の夫々の奥行位置及び（ｉｉ）前記取得された条件パラメータの両者に応じて、前記複数の画像の夫々の出力輝度レベルを指定する出力レベル指定工程と、
前記表示対象物を表示するための入力画像信号を、前記出力レベル指定手段が指定する前記出力輝度レベルを有する出力画像信号として、前記複数の表示手段の夫々に分配する出力レベル分配工程とを備えたことを特徴とする表示方法。
【請求項１９】 複数の表示対象物から構成される立体表示画像の奥行方向の幅である奥行幅を、夫々所望の幅を有する複数の幅部分に分割する分割工程と、
前記複数の幅部分のうち一つ内に存在する前記複数の表示対象物のうち少なくとも一つの表示対象物のコンテンツ内容と、該少なくとも一つの表示対象物の前記奥行位置との両者に応じて、前記少なくとも一つの表示対象物に対して発生させる前記奥行方向の立体感の強弱の度合を示す立体感パラメータを、前記幅部分毎に付与するパラメータ付与工程と、
前記立体感パラメータに応じた強弱の度合に係る立体感を有するように、前記少なくとも一つの表示対象物を立体表示する表示工程とを備えたことを特徴とする表示方法。